(57)【要約】【課題】多数の宝石を立体的に組み付けるとともに、発明の構成する基本的な構造が整然として美観の優れたものとなり、また得ようとするデザインやその用途等にも多くのバリエーションを提案することができる装身具を提供する。【解決手段】１）所定形状の宝石類自体が複数、その外面を接するように組み付けられていることを特徴とする装身具。２）所定形状の宝石類自体が複数、その外面を接するように、かつ所定のモチーフを描くように組み付けられていることを特徴とする装身具。３）所定長さの棒状宝石類自体が複数、井桁状に組み付けられたことを特徴とする装身具。４）上記棒状宝石類が、円形、楕円形、方形、矩形、三角形、あるいは他の多角形の断面を備えたものから選ばれた装身具。５）上記棒状宝石類が、ダイヤモンド、ルビー、サファイヤ、水晶等の結晶鉱物、またオパール、黒耀石等の非結晶体、さらに真珠、珊瑚、琥珀等の有機物宝石等から選ばれた装身具。【選択図】          図２
2004358084.tif 000002
【特許請求の範囲】
【請求項１】
所定形状の宝石類自体が複数、その外面を接するように組み付けられていることを特徴とする装身具。
【請求項２】
所定形状の宝石類自体が複数、その外面を接するように、かつ所定のモチーフを描くように組み付けられていることを特徴とする装身具。
【請求項３】
所定長さの棒状宝石類自体が複数、井桁状に組み付けられたことを特徴とする装身具。
【請求項４】
棒状宝石類が、円形、楕円形、方形、矩形、三角形、あるいは他の多角形の断面を備えたものから選ばれてなることを特徴とする請求項３に記載の装身具。
【請求項５】
棒状宝石類が、ダイヤモンド、ルビー、サファイヤ、水晶等の結晶鉱物、またオパール、黒耀石等の非結晶体、さらに真珠、珊瑚、琥珀等の有機物宝石等から選ばれてなることを特徴とする請求項３に記載の装身具。
【発明の詳細な説明】
【０００１】
【発明の属する技術分野】この発明は、従来においてまったく例を見ない、新規なデザインの装身具に関する。
【０００２】
【従来の技術】複数の宝石類を組み合わせた装身具としては、サイズの大きな宝石類に孔を穿ち、その穴に小さいサイズの宝石をはめ込んだ宝石の結合体を用いたものが一般的であった。しかしながら、その組み合わせには大きな宝石類の範囲内に限られるための限界があり、もちろん発展性を持たせることはできなかった。
【０００３】また、複数の宝石類を組み合わせた装身具用下げ飾りとしては、宝石類に孔を穿ち、その穴に金属線を差し通して隣接する２個の宝石を吊下げ結合する連珠のようなものが一般的であった。
【０００４】さらに、複数の宝石類を工夫を凝らして組み合わせた装身具としては、特開平３−１３３４０２号公報（特許文献１参照）のような、多数の宝石を並行に配置し、かつ宝石に側部溝を形成するとともに他方において長手方向の繊条と横方向の繊条からなる格子形成体に上記宝石を保持させ、少なくとも長手方向繊条かまたは横方向繊条のいずれかを宝石上に形成された前記側部溝内に係合させ、かつ該長手方向繊条と横方向繊条を収縮した合成物質により形成したものが知られている。
【０００５】さらにまた、特開平１０−２３４４４０号公報（特許文献２参照）には、耐久性のある線状基盤部材上に、任意の結晶方向を配置するための片穴または通し穴を設けた種結晶を固定し、合成鉱物育成用の装置中に、前記種結晶を配置した前記線状基盤部材を装着し、結晶を育成させて、結晶の成長した前記線状基盤部材そのものを宝飾品本体もしくは宝飾用部品として利用するようにした宝飾品が提案されている。
【０００６】
【特許文献１】特開平３−１３３４０２号公報
【特許文献２】特開平１０−２３４４４０号公報
【０００７】
【発明の解決しようとする課題】しかしながら、前者の装身具においては、多数の宝石を並行に配置し、これを縦横の繊条からなる格子形成体で連結して格子状に組み付けており、個々の宝石は縦横に所定の間隔で並べられているだけである。したがって、多数の宝石を並べたとしてもその配置が平面的であり、得ようとするデザインやその用途等にあまり多くのバリエーションを期待することはできなかった。
【０００８】また後者においては、耐久性のある線状基盤部材上に、任意の結晶方向を配置するための片穴または通し穴を設けた種結晶を固定し、これを合成鉱物育成用の装置中に装着して結晶を育成させて宝飾品としている。したがって、後者の宝飾品は、結果として従来の連珠のようなものとほとんど差のないものであった。
【０００９】この発明は、多数の宝石を立体的に組み付けるとともに、発明の構成する基本的な構造が整然として美観の優れたものとなり、また得ようとするデザインやその用途等にも多くのバリエーションを提案することができる装身具を提供することを目的にしている。
【００１０】
【課題を解決するための手段】すなわち、従来例の上記課題を解消するためにこの発明の装身具は、所定形状の宝石類自体が複数、その外面を接するように組み付けられていることを特徴とするものである。
【００１１】この発明の装身具は、所定形状の宝石類自体が複数、その外面を接するように、かつ所定のモチーフを描くように組み付けられていることをも特徴とするものである。
【００１２】この発明の装身具は、所定長さの棒状宝石類自体が複数、井桁状に組み付けられたことをも特徴とするものである。
【００１３】この発明の装身具は、上記棒状宝石類が、円形、楕円形、方形、矩形、三角形、あるいは他の多角形の断面を備えたものから選ばれたことをも特徴とするものである。
【００１４】この発明の装身具は、上記棒状宝石類が、ダイヤモンド、ルビー、サファイヤ、水晶等の結晶鉱物、またオパール、黒耀石等の非結晶体、さらに真珠、珊瑚、琥珀等の有機物宝石等から選ばれてなることをも特徴とするものである。
【００１５】この発明は、ペンダントやネックレス、ブレスレット、イヤリング、ブローチ、指輪等の装身具として適用可能である。このような装身具の構造はまた装飾用宝石類、例えば指輪やブレスレットの主な、あるいは副次的な飾り体としても適用可能である。
【００１６】ここで使用する「宝石類」という用語は最も一般的な広い意味で用いるものであるから、ダイヤモンド、ルビー、サファイヤ、水晶等の結晶鉱物、またオパール、黒耀石等の非結晶体、さらに真珠、珊瑚、琥珀等の有機物宝石等のみならず、特にカットガラス等の模造宝石を含む。
ちなみに、貴石と称される正宝石としては、ダイヤモンド、ルビー、サファイヤ、エメラルド、良質の翡翠、アレキサンドライト、ブラック・オパール、真珠等がある。
半貴石と称される準宝石としては、アクアマリン、トパーズ、トルマリン、ジルコン、アメジスト、ガーネット、ムーンストーン、ラピスラズリ、オパール、スピネル、ペリドート、トルコ石、縞瑪瑙がある。
【００１７】この棒状宝石類の断面形状は種々多様であり、例えば正方形、矩形、八角形、円形または楕円形である。宝石類はまた井桁状とする必要上、一定の長さを有していることが必要であるが、その要件を満たす限りにおいて、適宜の長さとすることができる。さらに上記宝石類の色彩は多彩なものとすることができ、また非常に変化のあるカット面を有するものとすることができる。
【００１８】
【発明の実施の形態】以下この発明の装身具の実施の形態を、図面を参照してより詳細に説明する。
図１は宝石類を井桁状に組み付けた状態を示す平面図、図２は組み付け状態を示す要部拡大斜視図、図３はその分解斜視図、図４は宝石類を井桁状に組み付けた状態の他の実施例を示す平面図、図５はさらに別の実施例を示す側面図、図６はその平面図、図７は組み付けた状態の概略図、図８（ａ）はまた別の実施例を示す側面図、（ｂ）はその平面図、図９はその組付け状態の説明図、図１０は別の組み付け状態の説明図である。
【００１９】図１ないし図３において、この発明の装身具は、所定長さの棒状宝石類１１が複数、井桁状に組み付けられたことを示している。各棒状宝石類１１はその断面形状が２等辺三角形であり、その底辺１３を内側に、突状部分１５を外向きにしてほぼ板状となるように上下に複数配列させている。各棒状宝石類１１の適所には、図３のようにその下部にそれぞれ切欠き１７が形成されており、この切欠き１７を、直交する向きの下側の各棒状宝石類１１の上部にはめ込むことにより組み付けている。
なお、上記切欠き１７として、棒状宝石類１１の適所を下から約半分の厚さまで切除した例を示したが、上から切込んだり、上下からそれぞれ切込んで結合可能とすることもできる。また切欠き１７の加工方法としては、ダイヤモンド砥石等を用いた研削のみならず、レーザによる切削等の各種手法を適用することも可能である。
【００２０】その際、同じ列の各棒状宝石類１１間には隙間ができないように連結し、それぞれ直交するよう組み付けられた各列の棒状宝石類１１の集合体により、全体として井桁状の内部は壁面が平滑な角形の筒状となるように形成されている。もちろん、各棒状宝石類１１の底辺１３を外側に、突状部分１５を内側にしてほぼ板状となるように上下に複数配列することにより、外側を平滑面とした井桁状の装身具を得ることもできる。
【００２１】上記棒状宝石類１１として三角形断面のものを例示したが、円形、楕円形、方形、矩形、三角形、あるいは他の多角形の断面を備えたものから選ぶこともでき、またそれらを適宜組み合わせてもよい。
【００２２】また上記棒状宝石類１１としては、ダイヤモンド、ルビー、サファイヤ、水晶等の結晶鉱物、またオパール、黒耀石等の非結晶体、さらに真珠、珊瑚、琥珀等の有機物宝石、カットガラス等の模造宝石等から選ぶこともでき、またそれらを適宜組み合わせてもよい。
ちなみに、貴石と称される正宝石としては、ダイヤモンド、ルビー、サファイヤ、エメラルド、良質の翡翠、アレキサンドライト、ブラック・オパール、真珠等がある。
半貴石と称される準宝石としては、アクアマリン、トパーズ、トルマリン、ジルコン、アメジスト、ガーネット、ムーンストーン、ラピスラズリ、オパール、スピネル、ペリドート、トルコ石、縞瑪瑙がある。
【００２３】図４は、棒状宝石類２１を井桁状に組み付けた状態の他の実施例を示す。各棒状宝石類２１はその断面形状がほぼ円形であり、ほぼ板状となるように上下に複数配列させている。各棒状宝石類１１の適所には、図４のようにその上部に切欠き２３が形成されており、この切欠き２３内に、直交する向きの上側の各棒状宝石類１１の下部をはめ込むことにより組み付けている。
【００２４】このように、棒状宝石類１１，２１として三角形断面や円形を利用するだけでなく、楕円形、方形、矩形、三角形、あるいは他の多角形の断面を適宜組み合わせることにより、非常に風変わりで趣きがあり、しかも非常にバリエーションに富む装身具を得ることができるようになった。
【００２５】図５ないし図７は、宝石類３１を組み付けた状態の他の実施例を示す。各宝石類３１はその断面形状がほぼ矩形であり、その両側には凹所３３および凸部３４の位置が左右で対称位置となるように上下に切欠いた組付け溝３２が所定の間隔で複数配置されている。すなわち各宝石類３１の適所には、図５（ａ），（ｂ）のようにその片側にそれぞれ凹所３３が形成されており、この凹所３３内に、他方の側に形成した凸部３４をはめ込むことにより組み付けている。
【００２６】そして、各宝石類３１を適宜組み合わせることにより、図７のようなリング状の装身具を作ることもできる。したがって、非常に風変わりで趣きがあり、しかも非常にバリエーションに富む装身具を得ることができるようになった。
【００２７】図８ないし図１０は、宝石類を組み付けた状態の別の実施例を示す。図８（ａ）において、宝石類４１は通常のダイヤカットの方法で研磨された形状を有し、その側面には同図（ｂ）のように歯車のような溝４２が形成されている。そして複数の宝石類４１は、歯車のような溝４２どうしをはめ込むことにより適宜組み付けられる。
【００２８】もちろん図９のように、各宝石類を円形の主宝石５１と台形をなす副宝石５２に組み合わせとし、主宝石５１の周囲に副宝石５２を取り巻くように組み付けることにより、複数の宝石類を組み合わせた所望の装身具を作ることができる。
【００２９】また、図１０のように、楕円形の主宝石６１の周囲に台形をなす副宝石６２を取り巻くように組み付けることにより、複数の宝石類を組み合わせた所望の装身具を作ることもできる。
したがって、非常に風変わりで趣きがあり、しかも非常にバリエーションに富む装身具を得ることができるようになった。
【００３０】
【発明の効果】この発明によれば、多数の宝石を立体的に組み付けるとともに、発明の構成する基本的な構造が整然として美観の優れたものとなり、また得ようとするデザインやその用途等にも多くのバリエーションを提案することができる装身具を提供することができるようになった。
【図面の簡単な説明】
【図１】宝石類を井桁状に組み付けた状態を示す平面図である。
【図２】組み付け状態を示す要部拡大斜視図である。
【図３】その分解斜視図である。
【図４】宝石類を井桁状に組み付けた状態の他の実施例を示す平面図である。
【図５】さらに別の実施例を示す側面図である。
【図６】その平面図である。
【図７】組み付けた状態の概略図である。
【図８】（ａ）はまた別の実施例を示す側面図、（ｂ）はその平面図である。
【図９】その組付け状態の説明図である。
【図１０】別の組み付け状態の説明図である。
【符号の説明】
１１  棒状宝石類
１３  底辺
１５  突状部分
１７  切欠き
２１  棒状宝石類
２３  切欠き
３１  宝石類
３２  組付け溝
３３  凹所
３４  凸部
４１  宝石類
４２  歯車のような溝
５１  主宝石
５２  副宝石
６１  主宝石
６２  副宝石
【図１】
2004358084.tif 000003
【図２】
2004358084.tif 000004
【図３】
2004358084.tif 000005
【図４】
2004358084.tif 000006
【図５】
2004358084.tif 000007
【図６】
2004358084.tif 000008
【図７】
2004358084.tif 000009
【図８】
2004358084.tif 000010
【図９】
2004358084.tif 000011
【図１０】
2004358084.tif 000012